(57)【要約】【課題】高精度に光軸調整が可能かつ組立容易な撮像装置を提供する。【解決手段】撮像部を搭載する基板と、レンズを保持するレンズ鏡筒と、前記レンズ鏡筒を保持し、前記基板と連結されたホルダと、前記ホルダと前記レンズ鏡筒との間に配置されるとともに、光軸に対して水平な方向に延びる第１面で前記レンズ鏡筒と接する第１支持部材と、前記ホルダと前記レンズ鏡筒との間に配置されるとともに、光軸に対して水平な方向に延びる第２面で前記レンズ鏡筒と接する第２支持部材と、前記レンズ鏡筒を前記第１支持部材及び前記第２支持部材に付勢する付勢部材と、を備え、前記第１面と前記第２面とは異なる方向に延びる面となった撮像装置を採用する。【選択図】図２
2018120020.tif 000002
【特許請求の範囲】
【請求項１】
撮像部を搭載する基板と、
レンズを保持するレンズ鏡筒と、
前記レンズ鏡筒を保持し、前記基板と連結されたホルダと、
前記ホルダと前記レンズ鏡筒との間に配置されるとともに、光軸に対して水平な方向に延びる第１面で前記レンズ鏡筒と接する第１支持部材と、
前記ホルダと前記レンズ鏡筒との間に配置されるとともに、光軸に対して水平な方向に延びる第２面で前記レンズ鏡筒と接する第２支持部材と、
前記レンズ鏡筒を前記第１支持部材及び前記第２支持部材に付勢する付勢部材と、を備え、
前記第１面と前記第２面とは異なる方向に延びる面である、
撮像装置。
【請求項２】
前記付勢部材が板バネである、
請求項１に記載の撮像装置。
【請求項３】
前記基板は、前記ホルダに固定されており、
前記レンズ鏡筒が光軸方向に移動可能である、
請求項１または請求項２に記載の撮像装置。
【請求項４】
前記第１支持部材は、前記第１面とは異なる方向に延びる第３面を有し、
前記第２支持部材は、前記第２面とは異なる方向に延びる第４面を有し、
光軸に垂直な方向に移動自在に前記第３面に接する第１移動規制部材と、
光軸に垂直な方向に移動自在に前記第４面に接する第２移動規制部材と、をさらに備える、
請求項１から請求項３のいずれか１項に記載の撮像装置。
【請求項５】
前記ホルダは、前記第１支持部材及び前記第２支持部材が配置される載置面を有し、
前記第１移動規制部材は、前記第３面を押圧することで前記第１支持部材を前記載置面に向かって与圧可能であり、
前記第２移動規制部材は、前記第４面を押圧することで前記第２支持部材を前記載置面に向かって与圧可能である、
請求項４に記載の撮像装置。
【請求項６】
前記ホルダは、前記第１移動規制部材を挿入する第１貫通孔と、前記第２移動規制部材を挿入する第２貫通孔とを有する、
請求項４または請求項５に記載の撮像装置。
【請求項７】
前記載置面に対して、前記第１面と前記第２面とは逆方向に略同じ角度を有しており、
前記載置面に対して、前記第３面と前記第４面とは逆方向に略同じ角度を有している、
請求項４から請求項６のいずれか１項に記載の撮像装置。
【発明の詳細な説明】
【技術分野】
【０００１】
本発明の一態様は、撮像装置等に関する。
【背景技術】
【０００２】
レンズ鏡筒と、撮像素子を搭載した基板を有する撮像装置では、撮像素子に対してレンズ鏡筒の位置を調整し、光軸を調整する必要がある。光軸調整の方法として、例えば特許文献１では、撮像素子の位置を嵌合により位置ずれしないように固定する構成を採用している。また、特許文献２にも、レンズと撮像素子との位置決め固定の手段について開示されている。
【先行技術文献】
【特許文献】
【０００３】
【特許文献１】特開２０１２−７４９３４号公報
【特許文献２】特開２０１２−１１３１８５号公報
【発明の概要】
【発明が解決しようとする課題】
【０００４】
ところで、近年、自動車などに用いられる撮像装置では、従来よりもさらに高精度に光軸を調整可能であり、位置ずれが生じないような構成が要求されている。しかしながら、上記従来の撮像装置では、高精度に光軸を調整することが容易ではなかった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像部を搭載する基板（６）と、
レンズを保持するレンズ鏡筒（２）と、
前記レンズ鏡筒を保持し、前記基板と連結されたホルダ（１）と、
前記ホルダと前記レンズ鏡筒との間に配置されるとともに、光軸に対して水平な方向に延びる第１面（３ａ）で前記レンズ鏡筒と接する第１支持部材（３）と、
前記ホルダと前記レンズ鏡筒との間に配置されるとともに、光軸に対して水平な方向に延びる第２面（４ａ）で前記レンズ鏡筒と接する第２支持部材（４）と、
前記レンズ鏡筒を前記第１支持部材及び前記第２支持部材に付勢する付勢部材（７）と、を備え、
前記第１面（３ａ）と前記第２面（４ａ）とは異なる方向に延びる面である、
撮像装置である。
【０００７】
上記構成の撮像装置では、第１支持部材、第２支持部材、及び付勢部材で少なくとも３方向からレンズ鏡筒を安定的に支持しながら、第１支持部材及び第２支持部材とレンズ鏡筒との当接位置を変化させることで、光軸に垂直な面におけるレンズ鏡筒と撮像部との位置を調整することができる。これにより、従来より高精度かつ容易に光軸調整を行うことが可能となる。
【０００８】
上記撮像装置において、好ましくは、
前記付勢部材が板バネ（７）である。
【０００９】
上記構成の撮像装置によれば、付勢部材として板バネを使用するため、比較的薄型かつ小型の構成にすることができる。
【００１０】
上記撮像装置において、好ましくは、
前記基板は、前記ホルダに固定されており、
前記レンズ鏡筒が光軸方向に移動可能である。
【００１１】
上記構成の撮像装置によれば、レンズ鏡筒の位置を調整するだけで、光軸方向、及び光軸に垂直な方向におけるレンズ鏡筒と撮像部との位置を調整することができる。つまり、レンズ鏡筒の位置調整により、光軸調整及びピント調整を行うことが可能となる。
【００１２】
上記撮像装置において、好ましくは、
前記第１支持部材（３）は、前記第１面とは異なる方向に延びる第３面（３ｂ）を有し、
前記第２支持部材（４）は、前記第２面とは異なる方向に延びる第４面（４ｂ）を有し、
光軸に垂直な方向に移動自在に前記第３面に接する第１移動規制部材（５ａ）と、
光軸に垂直な方向に移動自在に前記第４面に接する第２移動規制部材（５ｂ）と、をさらに備える。
【００１３】
上記構成の撮像装置によれば、第１移動規制部材及び第２移動規制部材を調整することで第１支持部材及び第２支持部材を移動させ、光軸に垂直な方向のレンズ鏡筒の位置調整を行うことができる。これにより、第１移動規制部材及び第２移動規制部材を調整するだけで、光軸調整を行うことが可能となる。
【００１４】
上記撮像装置において、好ましくは、
前記ホルダは、前記第１支持部材及び前記第２支持部材が配置される載置面（１ｄ）を有し、
前記第１移動規制部材（５ａ）は、前記第３面（３ｂ）を押圧することで前記第１支持部材（３）を前記載置面（１ｄ）に向かって与圧可能であり、
前記第２移動規制部材（５ｂ）は、前記第４面（４ｂ）を押圧することで前記第２支持部材（４）を前記載置面（１ｄ）に向かって与圧可能である。
【００１５】
上記構成の撮像装置によれば、第１移動規制部材及び第２移動規制部材により、第１支持部材及び第２支持部材を載置面に向かって与圧し、第１支持部材及び第２支持部材の位置をより強固かつ安定的に固定することが可能となる。
【００１６】
上記撮像装置において、好ましくは、
前記ホルダは、前記第１移動規制部材を挿入する第１貫通孔（１ｂ）と、前記第２移動規制部材を挿入する第２貫通孔（１ｃ）とを有する。
【００１７】
上記構成の撮像装置によれば、ホルダの外側から第１移動規制部材及び第２移動規制部材を調整することが可能となる。これにより、光軸調整をより容易に実施可能な構成にすることができる。
【００１８】
上記撮像装置において、好ましくは、
前記載置面に対して、前記第１面と前記第２面とは逆方向に略同じ角度を有しており、
前記載置面に対して、前記第３面と前記第４面とは逆方向に略同じ角度を有している。
【００１９】
上記構成の撮像装置によれば、第１支持部材及び第２支持部材を、光軸に垂直な方向に均等に移動させやすい構成にすることができる。これにより、光軸調整を行いやすい構成にすることができる。
【図面の簡単な説明】
【００２０】
【図１】撮像装置の外観斜視図。
【図２】撮像装置の分解斜視図。
【図３】上側（Ｙ軸方向）から見た撮像装置の平面図。
【図４】図３のＢ−Ｂの位置における撮像装置の断面図。
【図５】図４のＣ−Ｃの位置における撮像装置の断面図。
【発明を実施するための形態】
【００２１】
本発明の撮像装置は、第１支持部材の斜面と第２支持部材の斜面とによりレンズ鏡筒を支持しつつ、第１支持部材と第２支持部材を光軸に垂直なＸ軸に移動可能な構成にすることで、第１支持部材と第２支持部材とを移動させるだけで、Ｘ軸及びＹ軸にレンズ鏡筒の位置を調整可能にしている点に特徴のひとつがある。
【００２２】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２３】
＜１．実施形態＞
本発明の実施形態について、図面を参照しながら説明する。図１は、本実施形態の撮像装置の外観斜視図である。図２は、本実施形態の撮像装置の分解斜視図である。図３は、本実施形態の撮像装置を上側（Ｙ軸方向）から見た平面図である。図４は、図３におけるＢ−Ｂの位置における断面図であって、撮像装置を光軸方向前方からＺ軸方向に見た図である。図５は、図４におけるＣ−Ｃの位置における断面図であって、撮像装置を側方（Ｘ軸方向）から見た図である。
【００２４】
なお、本明細書では、レンズの中心位置であって、撮像素子に入射する光の中心位置を「光軸」と称する。レンズに対して撮像素子とは反対側に位置する撮像対象を「被写体」と称する。レンズに対して被写体が位置する方向を、「光軸方向前方」または「被写体側」と称することがある。レンズに対して撮像素子が位置する方向を、「光軸方向後方」または「撮像素子側」と称することがある。また、各図には、互いに直交するＸ軸、Ｙ軸、及びＺ軸を示している。Ｚ軸は、光軸の延びる方向と平行な方向である。本明細書では、光軸方向における、レンズ（またはレンズを含むレンズ鏡筒）と撮像素子との距離を調整することを指して「ピント調整」と称する。また、光軸に直交する平面におけるレンズ（またはレンズを含むレンズ鏡筒）と撮像素子との位置を調整することを指して「光軸調整」と称する。
【００２５】
図１〜図５に示されるように、本実施形態の撮像装置は、ホルダ１、レンズ鏡筒２、第１支持部材３、第２支持部材４、第１移動規制部材５ａ、第２移動規制部材５ｂ、基板６、及び付勢部材７を含んで構成される。
【００２６】
＜ホルダ１＞
ホルダ１は、撮像装置の筐体部分であり、レンズ鏡筒２、第１支持部材３、第２支持部材３、第１移動規制部材５ａ、第２移動規制部材５ｂ、基板６、及び付勢部材７を保持する。ホルダ１は、光軸を含む位置に開口部１ａを有しており、レンズ鏡筒２を通過した光は、開口部１ａを通過して撮像素子６ａに照射される。
【００２７】
ホルダ１は、ＸＺ平面と水平な載置面１ｄを有する。載置面１ｄには、第１支持部材３及び第２支持部材４が配置される。載置面１ｄには、第１支持部材３及び第２支持部材４のそれぞれの下面（底面）が接する。ホルダ１は、光軸方向前方に、ＸＹ平面と水平な面１ｅを有する。ホルダ１は、上記の面１ｅに対向する光軸方向後方に、ＸＹ平面と水平な面１ｆを有する。面１ｅは、第１支持部材３及び第２支持部材４の光軸方向前方の面と接する。面１ｆは、第１支持部材３及び第２支持部材４の光軸方向後方の面と接する。つまり、ホルダ１は、第１支持部材３及び第２支持部材４を、Ｚ軸方向に移動規制しながら、Ｘ軸方向に移動可能に支持する。
【００２８】
ホルダ１は、Ｘ軸方向に延びる第１貫通孔１ｂ及び第２貫通孔１ｃを有する。第１貫通孔１ｂには、第１移動規制部材５ａが挿入され、第２貫通孔１ｃには、第２移動規制部材５ｂが挿入される。第１貫通孔１ｂ及び第２貫通孔１ｃは、それぞれ内周側にネジ山を有する。
【００２９】
ホルダ１は、連結ネジ８ａ及び８ｂによって付勢部材７と連結されている。ホルダ１は、連結ネジ８ａ及び８ｂが挿入されるネジ孔を有する。
【００３０】
ホルダ１は、連結ネジ９ａ及び９ｂによって、基板６と連結されている。ホルダ１は、連結ネジ９ａ及び９ｂが挿入されるネジ孔を有する。
【００３１】
＜レンズ鏡筒２＞
レンズ鏡筒２は、光軸方向に伸びる円筒状の部材である。レンズ鏡筒２は、レンズ２ａを含む１以上の光学部材を保持する。
【００３２】
レンズ鏡筒２に保持される光学部材には、レンズ２ａの他に、レンズ、スペーサ、口径板、及び光学フィルタ（図示省略）などが含まれる。レンズ２ａを含むレンズは、ガラスまたはプラスチック等の透過性を有する素材で形成され、光軸方向前方からの光を屈折させながら光軸方向後方に透過させる。スペーサは、光軸方向に適度な厚みを有する円板状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数は、任意に変更可能である。
【００３３】
レンズ鏡筒２は、第１支持部材３の第１斜面３ａと、第２支持部材４の第２斜面４ａとに接するよう配置される。第１斜面３ａ及び第２斜面４ａと、レンズ鏡筒２とは、Ｚ軸方向に直線状に接する。つまり、光軸に垂直な平面で見ると、レンズ鏡筒２と、第１斜面３ａ及び第２斜面４ａのそれぞれとが、それぞれ１点で接している。レンズ鏡筒２のＹ軸方向の位置は、第１支持部材３と第２支持部材４とのＸ軸方向の距離に応じて変化する。レンズ鏡筒２のＸ軸方向の位置は、第１支持部材３と第２支持部材４との位置に応じて変化する。つまり、レンズ鏡筒２のＸＹ平面における位置は、第１支持部材３と第２支持部材４の位置に応じて変化する。
【００３４】
レンズ鏡筒２のＹ軸方向の一端は、付勢部材７の湾曲部７ａに接する（図４及び図５参照）。レンズ鏡筒２は、付勢部材７によってＹ軸方向に付勢されながら、第１支持部材３及び第２支持部材４に接する。
【００３５】
レンズ鏡筒２は、外周位置から内周側に向かって溝状に窪んだ溝部２ｂを有する（図１及び図２参照）。溝部２ｂは、回転位置に応じてＺ軸方向の位置が変化している。そのため、溝部２ｂにピンなどを挿入して回転させる方法などにより、レンズ鏡筒２の光軸方向（Ｚ軸方向）の位置を変化させることができる。溝部２ｂには、例えば芯が偏心した偏芯ピンなどを挿入して、レンズ鏡筒２の光軸方向の位置を変化させてもよい。
【００３６】
＜第１支持部材３及び第２支持部材４＞
第１支持部材３及び第２支持部材４は、載置面１ｄに接する平面状の下面（底面）を有する。第１支持部材３は、第１斜面３ａ及び第３斜面３ｂを有する。第２支持部材４は、第２斜面４ａ及び第４斜面４ｂを有する。ＸＹ平面における第１斜面３ａと第４斜面４ｂとは、平行であり、第２斜面４ａと第３斜面３ｂとは平行である。ＸＹ平面で、第１斜面３ａと第３斜面３ｂとはＹ軸に対して線対称であり、第２斜面４ａと第４斜面４ｂとはＹ軸に対して線対称である。本実施形態では、第１支持部材３と第２支持部材４とは同じ形状であるため、製造コストが安く、組み立て易い。ただし、第１支持部材３と第２支持部材４とは、必ずしも同じ形状でなくてもよい。また、第１斜面３ａ〜第４斜面４ｂは、それぞれ独立した方向の斜面であってもよい。
【００３７】
第１支持部材３の第３斜面３ｂは、第１移動規制部材５ａに接する。第１貫通孔１ｂへの第１移動規制部材５ａの挿入量により、第１支持部材３のＸ軸方向の位置が決定する。第１移動規制部材５ａの延びる方向（Ｘ軸方向）のベクトルに対して、第３斜面３ｂは所定の角度を有しているため、第１移動規制部材５ａから第１支持部材３与えられる力は、Ｘ軸方向及びＹ軸方向に分散される。そのため、第１移動規制部材５ａから第１支持部材３に対しては、第１支持部材３が載置面１ｄに押される力が与えられる。第２支持部材４も同様である。
【００３８】
本実施形態の第１支持部材３は、下面、第１斜面３ａ、及び第３斜面３ｂをつなぐ部分に、Ｘ軸方向またはＹ軸方向の直線部を有するが、この直線部は必須な部分ではない。つまり、第１支持部材３は、下面、第１斜面３ａ、及び第３斜面３ｂの３面を有する三角柱状であってもよい。第２支持部材４についても同様である。
【００３９】
＜第１移動規制部材５ａ及び第２移動規制部材５ｂ＞
第１移動規制部材５ａ及び第２移動規制部材５ｂは、それぞれ軸部の外周にネジ山を有するネジ状の部材である。第１移動規制部材５ａは、第１貫通孔１ｂに挿入されてねじ嵌合し、第２移動規制部材５ｂは、第２貫通孔１ｃに挿入されてねじ嵌合する。第１移動規制部材５ａ及び第２移動規制部材５ｂの頭部は、ホルダ１の外側に露出している。
【００４０】
なお、第１移動規制部材５ａ及び第２移動規制部材５ｂは、必ずしもネジ状でなく、ネジ山を有さない軸状の部材であってもよい。
【００４１】
＜基板６＞
基板６は、撮像素子６ａを含む電子部品が搭載されたリジッド基板である。基板６は、連結ネジ９ａ及び９ｂが挿入されるネジ孔を有する。基板６は、ネジ孔に挿通された連結ネジ９ａ及び９ｂにより、ホルダ１と連結される。基板６はホルダ１に対して固定されているため、ホルダ１に対して撮像素子６ａの位置が固定されている。
【００４２】
撮像素子６ａは、照射された光を電気信号に変換する光電変換素子であり、例えばＣ−ＭＯＳセンサやＣＣＤなどであるが、これらに限定されるものではない。なお、撮像素子６ａは本発明の「撮像部」の一例である。また、撮像装置においては、撮像素子６ａ以外の撮像機能を要する撮像部を採用してもよい。
【００４３】
＜付勢部材７＞
付勢部材７は、弾性的に付勢力を与える板バネであって、レンズ鏡筒２を、第１支持部材３及び第２支持部材４に向かってＹ軸方向に付勢する。付勢部材７は、湾曲部７ａを有する。付勢部材７の湾曲部７ａは、レンズ鏡筒２に接する。付勢部材７により付勢されることで、レンズ鏡筒２の位置が安定する。本実施形態の付勢部材７は板バネ状であり、コイルバネなどの付勢部材と比較するとＹ軸方向の厚みが薄いため、撮像装置のＹ軸方向の厚さを薄く構成することができる。付勢部材７はコイルバネなどの付勢部材に置き換えても良いが、撮像装置のＹ軸方向に厚くなる場合がある。
【００４４】
付勢部材７は、レンズ鏡筒２の溝部２ｂに対応する位置に開口を有する。つまり、付勢部材７の開口からは、レンズ鏡筒２の溝部２ｂが視認される。組立工程では、この開口からレンズ鏡筒２の溝部２ｂに向かって治具を挿入し、光軸方向（Ｚ軸方向）のレンズ鏡筒２の位置を調整する。
【００４５】
付勢部材７は、連結ネジ８ａ及び８ｂが挿入されるネジ孔を有する。付勢部材７は、ネジ孔に挿通された連結ネジ８ａ及び８ｂにより、ホルダ１と連結される。
【００４６】
＜光軸調整及びピント調整＞
上記構成の撮像装置では、以下のように光軸調整及びピント調整が行われる。
【００４７】
既に説明したように、ＸＹ平面におけるレンズ鏡筒２の位置は、第１支持部材３及び第２支持部材４の位置により変化する。また、第１支持部材３及び第２支持部材４は、第１移動規制部材５ａ及び第２移動規制部材５ｂの挿入量の調整によりＸ軸方向にのみ移動する。そこで、第１移動規制部材５ａ及び第２移動規制部材５ｂの挿入量を調整することで、レンズ鏡筒２の位置が変化して光軸が変化する。ＸＹ平面において、レンズ鏡筒２の中心位置である光軸が、撮像素子６ａの中心に位置するよう第１移動規制部材５ａ及び第２移動規制部材５ｂの挿入量を調整することで、光軸調整が完了する。
【００４８】
ピント調整の際には、作業者は、付勢部材７の開口からレンズ鏡筒２の溝部２ｂに向かって治具を差し込み、溝部２ｂを介してレンズ鏡筒２の光軸方向（Ｚ軸方向）の位置を調整する。これによって、ピント調整が行われる。
【００４９】
ピント調整が完了したら、必要に応じて接着剤を使用して各部材の位置を固定しても良い。ただし、必ずしも接着剤を使用しない場合であっても、光軸調整及びピント調整を行ったうえで固定可能である。
【００５０】
このように、本実施形態の撮像装置では、上記のように第１支持部材３、第２支持部材４、及び付勢部材７で少なくとも３方向からレンズ鏡筒を安定的に支持しながら、第１支持部材３及び第２支持部材４と、レンズ鏡筒２との当接位置を変化させることで、光軸に垂直な面（ＸＹ平面）におけるレンズ鏡筒２と撮像素子６ａとの位置を調整することができる。これにより、光軸調整が可能となる。
【００５１】
また、本実施形態の撮像装置では、基板６がホルダ１に固定されており、レンズ鏡筒が光軸方向に移動可能であるため、第１支持部材３及び第２支持部材４の位置を調整しレンズ鏡筒２の位置を調整するだけで、光軸調整及びピント調整を行うことが可能となる。
【００５２】
特に、本実施形態の撮像装置では、第１移動規制部材５ａ及び第２移動規制部材５ｂを調整することで、第１支持部材３及び第２支持部材４を移動させ、レンズ鏡筒２の位置を調整することができる。そのため、ホルダ１の外側から、第１移動規制部材５ａ及び第２移動規制部材５ｂの挿入量を調整することで、光軸調整を行うことが可能である。
【００５３】
また、本実施形態の構成では、第１移動規制部材５ａ及び第２移動規制部材５ｂにより、第１支持部材３及び第２支持部材４を載置面１ｄに対して与圧し、第１支持部材３及び第２支持部材４の位置をより強固かつ安定的に固定することが可能である。
【００５４】
特に、本実施形態の構成では、第１移動規制部材５ａ及び第２移動規制部材５ｂの頭部は、それぞれホルダ１の外側に露出しているため、比較的容易に光軸調整を行うことができる。
【００５５】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００５６】
実施形態の構成では、ホルダ１と基板６とは連結ネジ９ａ及び９ｂにより連結されていたが、別の手段により連結されても良い。ホルダ１と付勢部材７についても同様に、連結ネジ８ａ及び８ｂとは別のリベットなどの手段で連結されても良い。
【００５７】
また、実施形態の構成では、ホルダ１に対して基板６が固定されたうえで光軸調整及びピント調整が行われたが、ホルダ１に対して基板６の位置を調整可能にしながら、光軸調整及びピント調整を行っても良い。ただし、ホルダ１に対して基板６を固定させた状態で光軸調整及びピント調整を行うことができる構成にすることで、組立工程を簡略化させることができる。
【００５８】
また、光軸方向のレンズ鏡筒２の位置の調整は、必ずしも溝部２ｂにより行われる必要はなく、別の方法により行われても良い。例えば、レンズ鏡筒２に対して光軸方向一方から付勢部材により付勢しつつ、ネジなどの移動規制部材を用いてレンズ鏡筒２の光軸方向の位置を調整しても良い。
【００５９】
また、Ｘ軸、Ｙ軸、及びＺ軸に延びる構成は、必ずしもＸ軸、Ｙ軸、及びＺ軸と完全に水平でなく、各軸に対して所定の角度を有していても良い。例えば、第１貫通孔１ｂ及び第２貫通孔１ｃは、必ずしもＸ軸方向に水平に延びている必要はなく、Ｘ軸に対して所定の角度を有する方向に延びていても良い。
【００６０】
本発明の撮像装置は、特に高精度に光軸の調整を行う必要がある、自動車などに搭載される車載用の撮像装置として特に有用である。
【産業上の利用可能性】
【００６１】
本発明は、車載用の撮像装置などとして好適に利用される。
【符号の説明】
【００６２】
１…ホルダ
１ａ…開口部
１ｂ…第１貫通孔
１ｃ…第２貫通孔
１ｄ…載置面
２…レンズ鏡筒
２ａ…レンズ
２ｂ…溝部
３…第１支持部材
３ａ…第１斜面
３ｂ…第３斜面
４…第２支持部材
４ａ…第２斜面
４ｂ…第４斜面
５ａ…第１移動規制部材
５ｂ…第２移動規制部材
６…基板
６ａ…撮像素子
７…付勢部材
７ａ…湾曲部
８ａ、８ｂ、９ａ、９ｂ…連結ネジ
【図１】
2018120020.tif 000003
【図２】
2018120020.tif 000004
【図３】
2018120020.tif 000005
【図４】
2018120020.tif 000006
【図５】
2018120020.tif 000007